(57)【要約】【課題】簡単な操作で画像データを確実に保管できる制御装置及び制御プログラム並びに制御方法の提供。【解決手段】制御装置１の制御部２に、記憶部７に記憶される画像データ群と画像データ群がバックアップされるディスク型記録媒体の種類とを対応付ける対応付け情報を生成する対応付け情報生成手段２ａ、画像データ群を表示部５に表示させる際に、画像データ群がバックアップされているディスク型記録媒体の種類を表示したり、画像データ群を再度バックアップする際に、画像データ群がバックアップされているディスク型記録媒体よりも記録容量の大きいディスク型記録媒体を選択可能に表示する表示制御手段２ｂ、装填されたディスク型記録媒体よりも記録容量の小さいディスク型記録媒体にバックアップされている画像データ群やバックアップされていない画像データ群を特定するデータ特定手段２ｃを備える。【選択図】図２
2008204154.tif 000002
【特許請求の範囲】
【請求項１】
画像データ群を記憶する記憶部と、ディスク型記録媒体に前記画像データ群を記録する書込部と、表示部と、制御部と、を少なくとも備える制御装置において、
前記制御部は、前記記憶部に記憶される各々の前記画像データ群と、各々の前記画像データ群が記録される前記ディスク型記録媒体の種類とを対応付ける対応付け情報を生成する対応付け情報生成手段を少なくとも備えることを特徴とする制御装置。
【請求項２】
前記制御部は、前記記憶部に記憶されている所定の画像データ群を前記表示部に表示させる際に、前記対応付け情報を参照して、前記所定の画像データ群が記録されている前記ディスク型記録媒体の種類を前記表示部に表示させる表示制御手段を更に備えることを特徴とする請求項１記載の制御装置。
【請求項３】
前記制御部は、前記記憶部に記憶されている所定の画像データ群を前記ディスク型記録媒体に再度記録する際に、前記対応付け情報を参照して、前記所定の画像データ群が記録されているディスク型記録媒体よりも記録容量の大きいディスク型記録媒体の種類を前記表示部に表示させる表示制御手段を更に備えることを特徴とする請求項１又は２に記載の制御装置。
【請求項４】
前記制御部は、前記書込部に所定の種類のディスク型記録媒体が装填された場合に、前記対応付け情報を参照して、少なくとも前記所定の種類のディスク型記録媒体よりも記録容量の小さいディスク型記録媒体に記録されている前記画像データ群を特定するデータ特定手段を更に備えることを特徴とする請求項１乃至３のいずれか一に記載の制御装置。
【請求項５】
コンピュータを、
記憶手段に記憶される各々の画像データ群と、各々の前記画像データ群が記録されるディスク型記録媒体の種類とを対応付ける対応付け情報を生成する対応付け情報生成手段、として機能させることを特徴とする制御プログラム。
【請求項６】
コンピュータを、更に、
前記記憶手段に記憶されている所定の画像データ群を表示手段に表示させる際に、前記対応付け情報を参照して、前記所定の画像データ群が記録されている前記ディスク型記録媒体の種類を前記表示手段に表示させる表示制御手段、として機能させることを特徴とする請求項５記載の制御プログラム。
【請求項７】
コンピュータを、更に、
前記記憶手段に記憶されている所定の画像データ群を前記ディスク型記録媒体に再度記録する際に、前記対応付け情報を参照して、前記所定の画像データ群が記録されているディスク型記録媒体よりも記録容量の大きいディスク型記録媒体の種類を前記表示手段に表示させる表示制御手段、として機能させることを特徴とする請求項５又は６に記載の制御プログラム。
【請求項８】
コンピュータを、更に、
書込手段に所定の種類のディスク型記録媒体が装填された場合に、前記対応付け情報を参照して、少なくとも前記所定の種類のディスク型記録媒体よりも記録容量の小さいディスク型記録媒体に記録されている前記画像データ群を特定するデータ特定手段、として機能させることを特徴とする請求項５乃至７のいずれか一に記載の制御プログラム。
【請求項９】
画像データ群を記憶する記憶部と、ディスク型記録媒体に前記画像データ群を記録する書込部と、表示部と、制御部と、を少なくとも備える制御装置における制御方法であって、
前記記憶部に記憶される各々の前記画像データ群と、各々の前記画像データ群が記録される前記ディスク型記録媒体の種類とを対応付ける対応付け情報を生成するステップと、
前記記憶部に記憶されている所定の画像データ群を前記表示部に表示する際に、前記対応付け情報を参照して、前記所定の画像データ群が記録されている前記ディスク型記録媒体の種類を前記表示部に表示するステップと、を有することを特徴とする制御方法。
【請求項１０】
画像データ群を記憶する記憶部と、ディスク型記録媒体に前記画像データ群を記録する書込部と、表示部と、制御部と、を少なくとも備える制御装置における制御方法であって、
前記記憶部に記憶される各々の前記画像データ群と、各々の前記画像データ群が記録される前記ディスク型記録媒体の種類とを対応付ける対応付け情報を生成するステップと、
前記記憶部に記憶されている所定の画像データ群を前記ディスク型記録媒体に再度記録する際に、前記対応付け情報を参照して、前記所定の画像データ群が記録されているディスク型記録媒体よりも記録容量の大きいディスク型記録媒体の種類を前記表示部に表示するステップと、を有することを特徴とする制御方法。
【請求項１１】
画像データ群を記憶する記憶部と、ディスク型記録媒体に前記画像データ群を記録する書込部と、表示部と、制御部と、を少なくとも備える制御装置における制御方法であって、
前記記憶部に記憶される各々の前記画像データ群と、各々の前記画像データ群が記録される前記ディスク型記録媒体の種類とを対応付ける対応付け情報を生成するステップと、
前記書込部に所定の種類のディスク型記録媒体を装填するステップと、
前記対応付け情報を参照して、少なくとも前記所定の種類のディスク型記録媒体よりも記録容量の小さいディスク型記録媒体に記録されている前記画像データ群を特定するステップと、
特定した前記画像データ群を、前記表示部に選択可能に表示するステップと、を少なくとも有することを特徴とする制御方法。
【発明の詳細な説明】
【技術分野】
【０００１】
本発明は、制御装置及び制御プログラム並びに制御方法に関し、特に、画像データをディスク型記録媒体にバックアップする制御装置及び制御プログラム並びに制御方法に関する。
【背景技術】
【０００２】
近年、デジタルカメラの低価格化、多機能化に伴ってデジタルカメラで写真や動画を撮影するユーザが増えており、デジタルカメラで撮影した静止画像データや動画データ（以下、画像データと呼ぶ。）は、コンピュータ機器のＨＤＤ（Hard Disk Drive）やＣＤ−Ｒ、ＤＶＤ−Ｒなどのディスク型記録媒体に記録され、電子アルバムとして保管される（例えば、下記特許文献１参照）。
【０００３】
また、上記画像データを単に記録媒体に記録するのではなく、画像データからＤＶＤプレーヤやＤＶＤレコーダ、ＨＤＤレコーダ、ゲーム機などの家電機器でスライドショーとして再生するためのデータ（以下、家電機器用データと呼ぶ。）を生成し、画像データと家電機器用データとをセットにしてＨＤＤやディスク型記録媒体に書き込んだり、更に画像データをコンピュータ機器でスライドショーとして再生するためのアプリケーションとをセットにしてＨＤＤやディスク型記録媒体に書き込むことも行われている。
【０００４】
【特許文献１】特開２００４−２０１１１３号公報（第１０−１８頁、第１図）
【発明の開示】
【発明が解決しようとする課題】
【０００５】
上記写真や動画は思い出となるものであり、画像データは安全に保管する必要がある。しかしながら、コンピュータ機器はコンピュータウィルスなどによって機能しなくなる場合もあるし、ＨＤＤは部品の消耗や衝撃などによってクラッシュする場合もあり、大切な画像データが失われる危険性がある。そこで、通常、画像データはＨＤＤなどに記憶すると共に、ＣＤ−ＲやＤＶＤ−Ｒなどのディスク型記録媒体にバックアップして不測の事態に備えている。
【０００６】
上記ディスク型記録媒体には、７００ＭＢの記録容量を持つＣＤ−Ｒや４．７ＧＢの記録容量を持つＤＶＤ−Ｒの他、片面で２７ＧＢ、両面で５４ＧＢの記録容量を持つＢｌｕ−ｒａｙディスクなど、様々な種類があり、今後も新しいタイプのディスク型記録媒体が開発されると予想されるが、コンピュータ機器では全てのタイプのディスク型記録媒体を利用できるとは限らず、記録容量の小さいディスク型記録媒体は徐々に利用できなくなる可能性がある。
【０００７】
従って、画像データをディスク型記録媒体にバックアップしたとしても、そのディスク型記録媒体が利用できなくなる可能性もあり、定期的に記録容量の大きいディスク型記録媒体にバックアップし直す必要があるが、従来は、コンピュータ機器のＨＤＤに記録された画像データがどのようなタイプのディスク型記録媒体にバックアップされているのかが分からないため、ディスク型記録媒体の画像データをコンピュータ機器に表示させて確認したり、ディスク型記録媒体のレーベルなどに書き込んだアルバム名などを確認しなければならず、操作が煩雑であると共に、画像データを安心して保管することができないという問題があった。
【０００８】
本発明は、上記問題点に鑑みてなされたものであって、その主たる目的は、簡単な操作で画像データを確実に保管することができる制御装置及び制御プログラム並びに制御方法を提供することにある。
【課題を解決するための手段】
【０００９】
上記目的を達成するため、本発明は、画像データ群を記憶する記憶部と、ディスク型記録媒体に前記画像データ群を記録する書込部と、表示部と、制御部と、を少なくとも備える制御装置において、前記制御部は、前記記憶部に記憶される各々の前記画像データ群と、各々の前記画像データ群が記録される前記ディスク型記録媒体の種類とを対応付ける対応付け情報を生成する対応付け情報生成手段を少なくとも備えるものである。
【００１０】
本発明においては、前記制御部は、前記記憶部に記憶されている所定の画像データ群を前記表示部に表示させる際に、前記対応付け情報を参照して、前記所定の画像データ群が記録されている前記ディスク型記録媒体の種類を前記表示部に表示させる表示制御手段を更に備える構成とすることができる。
【００１１】
また、本発明においては、前記制御部は、前記記憶部に記憶されている所定の画像データ群を前記ディスク型記録媒体に再度記録する際に、前記対応付け情報を参照して、前記所定の画像データ群が記録されているディスク型記録媒体よりも記録容量の大きいディスク型記録媒体の種類を前記表示部に表示させる表示制御手段を更に備える構成とすることができる。
【００１２】
また、本発明においては、前記制御部は、前記書込部に所定の種類のディスク型記録媒体が装填された場合に、前記対応付け情報を参照して、少なくとも前記所定の種類のディスク型記録媒体よりも記録容量の小さいディスク型記録媒体に記録されている前記画像データ群を特定するデータ特定手段を更に備える構成とすることができる。
【００１３】
また、本発明は、コンピュータを、記憶手段に記憶される各々の画像データ群と、各々の前記画像データ群が記録されるディスク型記録媒体の種類とを対応付ける対応付け情報を生成する対応付け情報生成手段、として機能させるものである。
【００１４】
本発明においては、コンピュータを、更に、前記記憶手段に記憶されている所定の画像データ群を表示手段に表示させる際に、前記対応付け情報を参照して、前記所定の画像データ群が記録されている前記ディスク型記録媒体の種類を前記表示手段に表示させる表示制御手段、として機能させる構成とすることができる。
【００１５】
また、本発明においては、コンピュータを、更に、前記記憶手段に記憶されている所定の画像データ群を前記ディスク型記録媒体に再度記録する際に、前記対応付け情報を参照して、前記所定の画像データ群が記録されているディスク型記録媒体よりも記録容量の大きいディスク型記録媒体の種類を前記表示手段に表示させる表示制御手段、として機能させる構成とすることができる。
【００１６】
また、本発明においては、コンピュータを、更に、書込手段に所定の種類のディスク型記録媒体が装填された場合に、前記対応付け情報を参照して、少なくとも前記所定の種類のディスク型記録媒体よりも記録容量の小さいディスク型記録媒体に記録されている前記画像データ群を特定するデータ特定手段、として機能させる構成とすることができる。
【００１７】
また、本発明は、画像データ群を記憶する記憶部と、ディスク型記録媒体に前記画像データ群を記録する書込部と、表示部と、制御部と、を少なくとも備える制御装置における制御方法であって、前記記憶部に記憶される各々の前記画像データ群と、各々の前記画像データ群が記録される前記ディスク型記録媒体の種類とを対応付ける対応付け情報を生成するステップと、前記記憶部に記憶されている所定の画像データ群を前記表示部に表示する際に、前記対応付け情報を参照して、前記所定の画像データ群が記録されている前記ディスク型記録媒体の種類を前記表示部に表示するステップと、を有するものである。
【００１８】
また、本発明は、画像データ群を記憶する記憶部と、ディスク型記録媒体に前記画像データ群を記録する書込部と、表示部と、制御部と、を少なくとも備える制御装置における制御方法であって、前記記憶部に記憶される各々の前記画像データ群と、各々の前記画像データ群が記録される前記ディスク型記録媒体の種類とを対応付ける対応付け情報を生成するステップと、前記記憶部に記憶されている所定の画像データ群を前記ディスク型記録媒体に再度記録する際に、前記対応付け情報を参照して、前記所定の画像データ群が記録されているディスク型記録媒体よりも記録容量の大きいディスク型記録媒体の種類を前記表示部に表示するステップと、を有するものである。
【００１９】
また、本発明は、画像データ群を記憶する記憶部と、ディスク型記録媒体に前記画像データ群を記録する書込部と、表示部と、制御部と、を少なくとも備える制御装置における制御方法であって、前記記憶部に記憶される各々の前記画像データ群と、各々の前記画像データ群が記録される前記ディスク型記録媒体の種類とを対応付ける対応付け情報を生成するステップと、前記書込部に所定の種類のディスク型記録媒体を装填するステップと、前記対応付け情報を参照して、少なくとも前記所定の種類のディスク型記録媒体よりも記録容量の小さいディスク型記録媒体に記録されている前記画像データ群を特定するステップと、特定した前記画像データ群を、前記表示部に選択可能に表示するステップと、を少なくとも有するものである。
【００２０】
このように、本発明では、各々の画像データ群と各々の画像データ群が記録されるディスク型記録媒体の種類とを対応付ける対応付け情報を参照して、画像データ群を表示させる際に、その画像データ群が記録されているディスク型記録媒体の種類を表示したり、画像データ群をディスク型記録媒体に再度記録する際に、その画像データ群が記録されているディスク型記録媒体よりも記録容量の大きいディスク型記録媒体の種類を表示するため、ユーザは、画像データ群がどのような種類のディスク型記録媒体に記録されているかを容易に知ることができると共に、より記録容量の大きいディスク型記録媒体に簡単に記録し直すことができ、簡単な操作で画像データを確実に保管することができる。
【００２１】
また、本発明では、対応付け情報を参照して、少なくとも装填されたディスク型記録媒体よりも記録容量の小さいディスク型記録媒体に記録されている画像データ群を特定するため、より記録容量の大きいディスク型記録媒体に簡単に記録し直すことができ、簡単な操作で画像データを確実に保管することができる。
【発明の効果】
【００２２】
本発明の制御装置及び制御プログラム並びに制御方法によれば、簡単な操作で画像データを確実に保管することができる。
【００２３】
その理由は、制御装置又は制御プログラムは、制御装置のＨＤＤなどの記憶部に記録される各々の画像データ群と各々の画像データ群が記録されるディスク型記録媒体の種類とを対応付ける対応付け情報を生成して記憶し、記憶部に記憶されている画像データ群を表示させる際に、対応付け情報を参照して、その画像データ群が記録されているディスク型記録媒体の種類を表示したり、記憶部に記憶されている画像データ群をディスク型記録媒体に再度記録する際に、対応付け情報を参照して、その画像データ群が記録されているディスク型記録媒体よりも記録容量の大きいディスク型記録媒体の種類を表示する制御を行うため、ユーザは、画像データ群がどのような種類のディスク型記録媒体に記録されているかを容易に知ることができると共に、より記録容量の大きいディスク型記録媒体に簡単に記録し直すことができるからである。
【００２４】
また、制御装置又は制御プログラムは、書込部にディスク型記録媒体を装填すると、装填されたディスク型記録媒体の種類を判別し、対応付け情報を参照して、その種類のディスク型記録媒体よりも記録容量の小さいディスク型記録媒体に記録されている画像データ群と必要に応じて記録されていない画像データ群とを特定する制御を行うため、特定された画像データ群を装填されたディスク型記録媒体に記録するだけで、より記録容量の大きいディスク型記録媒体に簡単に記録し直すことができるからである。
【発明を実施するための最良の形態】
【００２５】
本発明は、その好ましい一実施の形態において、表示部と、操作部と、１又は複数の画像データ群を記憶する記憶部と、ディスク型記録媒体に画像データ群を記録する書込部と、これらを制御する制御部とを少なくとも備える制御装置において、制御部（又はコンピュータを制御部として機能させる制御プログラム）に、記憶部に記憶される画像データ群と、該画像データ群が記録されるディスク型記録媒体の種類とを対応付ける対応付け情報を生成する対応付け情報生成手段、記憶部に記憶されている画像データ群を表示部に表示させる際に、対応付け情報を参照して、該画像データ群が記録されているディスク型記録媒体の種類を表示したり、記憶部に記憶されている画像データ群をディスク型記録媒体に再度記録する際に、対応付け情報を参照して、該画像データ群が記録されているディスク型記録媒体よりも記録容量の大きいディスク型記録媒体の種類を表示する表示制御手段、書込部に装填されたディスク型記録媒体の種類を判別し、対応付け情報を参照して、記憶部に記憶されている画像データ群の内、装填されたディスク型記録媒体よりも記録容量の小さいディスク型記録媒体に記録されている画像データ群と必要に応じて記録されていない画像データ群とを特定するデータ特定手段を備え、簡単な操作で画像データを確実に保管できるようにする。
【００２６】
なお、ディスク型記録媒体は、画像データの管理者（例えば、撮影者）が保管してもよいし、他の者（例えば、被写体となった者）に譲渡又は貸与してもよいし、画像データ群を複数枚のディスク型記録媒体に記録し、その一部を画像データの管理者が保管し、残りを他の者に譲渡又は貸与してもよい。また、画像データをより記録容量の大きいディスク型記録媒体に記録する際、保存元の記憶部に記憶されている画像データを残す（コピーする）形態としてもよいし、保存元の記憶部に記憶されている画像データを消す（移動する）形態としてもよい。以下の実施例では、記憶部に記憶されている画像データを残し、ディスク型記録媒体にその複製を作成する（いわゆるバックアップする）場合を主に説明する。
【実施例】
【００２７】
上記実施形態について詳細に説明すべく、本発明の一実施例に係る制御装置及び制御プログラム並びに制御方法について、図１乃至図１３を参照して説明する。図１は、本実施の制御装置の構成を模式的に示す図であり、図２は、制御装置の手段を示すブロック図である。また、図３乃至図５は、本実施例の制御装置を用いた処理の手順を示すフローチャート図である。また、図６及び図７は、データの記録構造を示す図であり、図８乃至図１１は、制御装置の表示部に表示される画面構成例を示す図である。また、図１２は、ディスク型記録媒体におけるデータの記録領域を模式的に示す図であり、図１３は、ディスク型記録媒体（ＣＤ−Ｒ）の構造を模式的に示す図である。
【００２８】
図１及び図２に示すように、本実施例の制御装置１は、メディア装填部３ａに装填されたスマートメディア、コンパクトフラッシュ（登録商標）、メモリースティック（登録商標）、ＳＤメモリーカード、マルチメディアカードなどの記録媒体（以下、メディア９と呼ぶ。）や、機器接続部３ｂに接続されたデジタルカメラ８やカメラ付き携帯電話機８ａ等の撮影機器、ネットワーク接続部を用いてＬＡＮ（Local Area Network）やＷＡＮ（Wide Area Network）などの通信ネットワーク１１を介して接続されるサーバ１２（例えば、画像保管サーバ）などから１又は複数の画像データ（以下、画像データ群と呼ぶ。）を入力するデータ入力部３と、ＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等のディスク型記録媒体１０に１又は複数の画像データ群をバックアップする書込部４と、ＬＣＤ（Liquid Crystal Display）などの表示部５と、ボタン、キーボード、マウス等の操作部６と、１又は複数の画像データ群を記憶するＨＤＤなどの記憶部７と、これらを制御する制御部２などを備える。
【００２９】
上記制御部２は、ＣＰＵ（Central Processing Unit）やＲＯＭ（Read Only Memory）、ＲＡＭ（Random Access Memory）などのメモリで構成され、制御部２は、画像データ群をディスク型記録媒体１０にバックアップする際に、その画像データ群とディスク型記録媒体１０の種類とを対応付ける対応付け情報を生成する対応付け情報生成手段２ａ、記憶部７に記憶されている画像データ群を表示部５に表示させる際に、対応付け情報を参照して、各画像データ群に関連付けて、その画像データ群がバックアップされているディスク型記録媒体１０の種類を表示したり、画像データ群をバックアップする際に、対応付け情報を参照して、その画像データ群がバックアップされているディスク型記録媒体１０よりも記録容量の大きいディスク型記録媒体１０の種類を表示する表示制御手段２ｂ、書込部４に装填されたディスク型記録媒体１０の種類を判別し、対応付け情報を参照して、そのディスク型記録媒体１０よりも記録容量の小さいディスク型記録媒体１０にバックアップされている画像データ群と必要に応じてバックアップされていない画像データ群とを特定するデータ特定手段２ｃを備える。
【００３０】
なお、上記対応付け情報生成手段２ａ、表示制御手段２ｂ、データ特定手段２ｃはハードウェアとして構成してもよいし、コンピュータを、対応付け情報生成手段２ａ、表示制御手段２ｂ、データ特定手段２ｃとして機能させる制御プログラムとして構成し、該制御プログラムを制御部２上で動作させる構成としてもよい。
【００３１】
また、図１では制御装置１としてパーソナルコンピュータなどのコンピュータ機器を示しているが、制御装置１の形態は任意であり、例えば、専用のセットトップボックスやポータブルライター、演算処理機能を備えたＤＶＤレコーダやＨＤＤレコーダ、ハードディスクを備えた端末と画像データの読み取りや書き込みを行う本体とが分離可能な携帯機器、演算処理機能を備えたカーナビゲーション機器などとすることもできる。
【００３２】
次に、本実施例の制御装置１（制御プログラム）を用いて画像データ群を記憶及びバックアップする手順について、図３のフローチャート図を参照して説明する。
【００３３】
まず、ステップＳ１０１で、ユーザが、制御装置１のメディア装填部３ａにメディア９を装填、又は、機器接続部３ｂにデジタルカメラ８などの撮影機器を接続すると、ステップＳ１０２で、データ入力部３は、メディア９や撮影機器から画像データ群を読み取る。
【００３４】
次に、読み取った画像データ群を記憶部７に記憶するが、デジタルカメラ８やメディア９には、デジタルカメラ８で設定されたルールに従って生成された名称のフォルダ（DSCyymmdd:yymmddは撮影の年月日）に、デジタルカメラ８で設定されたルールに従って生成された名称の画像データ（DSC*****：*****は通し番号）が格納されており、フォルダや画像データの名称が重複すると管理が困難になることから、フォルダや画像データに対してユニークな名称を付与することが好ましい。
【００３５】
そこで、ステップＳ１０３で、制御部２は、必要に応じて、フォルダの名称をROYYMMDDyyy_XXXXXXAABxxx（YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）に変換したり、画像データの名称をCCYYMMDDxxxxxx（CC：データの種別、YYMMDD：書き込み年月日を特定する数字、xxxxxx：シーケンシャル番号）などに変換する。
【００３６】
次に、ステップＳ１０４で、制御部２は、読み取った画像データ群又は名称を変更した画像データ群を記憶部７に記憶する。ステップＳ１０２で読み取った画像データ群をそのまま記憶する場合は、図６（ａ）に示すようなデータ構造で画像データ群が記憶され、ステップＳ１０３で名称を変換した画像データ群を記憶する場合は、図６（ｂ）に示すようなデータ構造で画像データ群が記憶される。
【００３７】
次に、ステップＳ１０５で、ユーザは記憶部７に記憶した画像データ群をディスク型記録媒体１０にバックアップするか否かを判断し、バックアップする場合は、ステップＳ１０６で書込部４にディスク型記録媒体１０を装填する。
【００３８】
このディスク型記録媒体１０として市販されている任意の記録媒体を用いることができるが、特定の記録媒体に対してのみデータの記録が行われるようにしてもよく、その場合は、ステップＳ１０７で、制御部２は、ディスク型記録媒体１０の所定の領域に該ディスク型記録媒体１０を識別するための識別情報が記録されているかを調べ、識別情報が記録されている場合に特定のディスク型記録媒体１０と判断する。
【００３９】
この識別情報は、中身が容易に知られてしまうと識別情報自体もコピーされてしまうため、識別情報の少なくとも一部はコンピュータ機器のＯＳでは記録内容を制御できない情報、具体的にはプログラムメモリ領域の情報や、ＣＤ−Ｒ成型時に付与される案内溝変調（ＡＴＩＰ：Absolute Time In Pre-groove）による情報などとすることが好ましい。
【００４０】
ここで、一般的なディスク型記録媒体１０（ＣＤ−Ｒ）の構造について、図１３を参照して説明すると、ＣＤ−Ｒは、ポリカーボネート基板２０上に、シアニン、フタロシアニン、アゾなどの有機色素層２１と銀などの反射層２２と保護層２３とが積層されて形成され、有機色素層２１に所定のパワーのレーザ光を当てて色素を分解して基板を変形させることでピットを形成し、情報の記録を行っているが、レーザパワーは、レーザ光を照射するレーザヘッドの方式や使用する有機色素層２１の種類に応じて最適な値が異なるため、情報の書き込みを確実に行うためにはＣＤ−Ｒのタイプやレーザ記録パワーの推奨値をドライブ側が認識する必要がある。そこで、ディスクの応用コードやレーザ記録パワーの推奨値などの情報をディスク型記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。また、上記以外の案内溝変調（ＡＴＩＰ）であるリードイン開始時間、最大リードアウト開始可能時間等も適宜設定することで識別情報として利用することができる。
【００４１】
次に、ステップＳ１０８で、制御部２の対応付け情報生成手段２ａは、上記案内溝変調（ＡＴＩＰ）などに基づいて、書込部４に装填されたディスク型記録媒体１０の種類を判別し、バックアップする画像データ群を特定する情報（例えば、フォルダの名称と同様のルールで生成された名称）と、ディスク型記録媒体１０の種類を特定する情報（例えば、ＣＤ−ＲやＤＶＤ−Ｒなど）とを対応付ける対応付け情報を生成する。なお、この対応付け情報のデータ形式は特に限定されない。そして、図６に示すように、生成した対応付け情報（ここではindex.pvm）を記憶部７に記憶する。
【００４２】
次に、上記画像データ群をディスク型記録媒体１０にバックアップするが、画像データ群をそのままディスク型記録媒体１０にバックアップすると、コンピュータ機器などでしか記録した画像データを確認することができない。そこで、ステップＳ１０８で、必要に応じて、制御部２は画像データ群に基づいて動画データを生成（エンコード）し、生成された動画データに基づいて、家電機器で再生可能な形式の家電機器用データ（例えば、動画データがＭＰＥＧ１形式の場合はＶｉｄｅｏ−ＣＤ形式のデータ、動画データがＭＰＥＧ１又はＭＰＥＧ２の場合はＤＶＤ−Ｖｉｄｅｏ形式のデータ）を生成（オーサリング）する。また、必要に応じて、各々の画像データのデータサイズを縮小したサムネイル画像データやスクリーンネイル画像データなどの縮小画像データを作成する。なお、上記静止画像データから動画データを作成する方法は特に限定されず、スライドショープログラムで設定されたスライド効果に基づいて静止画像データを再生する場合はスライド効果に基づく差分データを付加して動画データを生成すればよいし、同じ画像を一定時間表示する場合にはスライド表示時間分の差分０のデータを付加して動画データを生成すればよい。
【００４３】
次に、書込部４を用いて画像データ群や家電機器用データを記録するが、その際、家電機器ではデータを読み込むことができる記録領域が限定されるため、家電機器用データを記録する場合は、図１２に示すように、ステップＳ１１０で、書込部４は、生成した家電機器用データをディスク型記録媒体１０の論理アドレス領域の内周側に書き込み、必要に応じてセッションをクローズした後、ステップＳ１１１で、画像データ群や必要に応じて縮小画像データ、アプリケーションなどをディスク型記録媒体１０の先に記録した家電機器用データの外側に書き込む。なお、この論理アドレス領域とは、ユーザのデータ（プログラム）が記録される領域であり、ユーザデータの配置情報が記録されるプログラムメモリ領域、リードイン・ＴＯＣ（Table Of Contents）領域やリードアウト領域などの情報領域、ディスクの応用コードやレーザ記録パワーの推奨値、その他の情報が記録される案内溝変調（ＡＴＩＰ）情報の領域は含まず、また、論理アドレス領域外とは上記論理アドレス領域以外の領域を指すものとする。
【００４４】
上記手順で作成されたディスク型記録媒体１０のディレクトリ構造は図７（ａ）に示すようになり、画像データの格納場所を示すフォルダ（PS_Rollフォルダ）内に、所定のルールに従って生成された名称（ROYYMMDDyyy_XXXXXXAABxxxなど）のフォルダが作成され、その中に、所定のルールに従って生成された名称（CCYYMMDDxxxxxxなど）にリネームされた画像データと、必要に応じて縮小画像データが記録され、また、必要に応じてAPPLフォルダ内にスライドショープログラムやスライドショーの設定ファイルなどが記録され、これらでコンピュータ機器用データが構成される。
【００４５】
また、Ｖｉｄｅｏ−ＣＤ形式のデータを生成した場合は図７（ａ）に示すように、”VCD”フォルダ内の画像データをＶｉｄｅｏ−ＣＤ形式用データとして関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどで家電機器用データが構成され、ＤＶＤ−Ｖｉｄｅｏ形式のデータを生成した場合は図７（ｂ）に示すように、”VIDEO_TS”フォルダ内の、チャプター位置情報が記述されたVIDEO_TS.IFOとそのバックアップファイルであるVIDEO_TS.BUPとタイトル選択メニューのためのVIDEO_TS.VOBとで構成されるビデオマネージャ（ＶＭＧ）と、チャプター位置情報が記述されたVTS_**_0.IFOとそのバックアップファイルであるVTS_**_0.BUPとＶＴＳの各タイトルの動画データであるVTS_**_*.VOBなどとで構成されるビデオタイトルセット（ＶＴＳ）などで家電機器用データが構成される。
【００４６】
なお、上記フローでは、画像データ群を記憶部７に記憶した後、ディスク型記録媒体１０にバックアップしたが、その順序を逆にしてもよいし、記憶部７とディスク型記録媒体１０以外に、通信ネットワーク１１で接続される画像保管サーバなども画像データ群をバックアップしてもよい。また、一旦ディスク型記録媒体１０に記録した画像データ群を記憶部７に記憶してもよい。
【００４７】
以上の処理により、デジタルカメラ８やメディア９などから読み取った画像データ群が、ＨＤＤなどの記憶部７に記憶されると共に、ディスク型記録媒体１０にバックアップされ、画像データ群を安全に保管することができるが、ディスク型記録媒体１０にバックアップしてから長期間経過すると、ディスク型記録媒体１０のタイプが古くなってコンピュータ機器で利用できなくなるなどの弊害が生じる。そこで、より新しいタイプ（通常はより記録容量の大きい）ディスク型記録媒体１０にバックアップし直す必要が生じる。
【００４８】
以下、一旦、ディスク型記録媒体１０にバックアップした画像データ群をより記録容量の大きいディスク型記録媒体１０にバックアップし直す手順について、図４のフローチャート図を参照して説明する。
【００４９】
まず、ステップＳ２０１で、ユーザが、制御装置１の操作部６を操作して、画像データ群の表示を指示すると、ステップＳ２０２で、制御部２は、記憶部７から画像データ群と対応付け情報とを読み取り、ステップＳ２０３で、対応付け情報を参照して、各々の画像データ群に対して、該画像データ群がバックアップされたディスク型記録媒体１０の種類を特定する。
【００５０】
次に、ステップＳ２０４で、制御部２の表示制御手段２ｂは、表示部５に図８に示すような画像表示画面１３を表示させる。この画像表示画面１３には、記憶部７に記憶された１又は複数の画像データ群が選択可能に表示されるタグ表示欄１４と、選択された画像データ群に含まれる個々の画像データに基づく画像を一覧表示する一覧表示欄１５と、画像データに対する作業を選択する作業メニュー欄１６などが設けられており、画像表示画面１３の所定の位置（ここではタグ表示欄１４と一覧表示欄１５の上部）には、画像データ群がバックアップされたディスク型記録媒体１０の種類を示すバックアップディスク情報１７が表示される。これにより、ユーザは煩雑な操作を行うことなく、画像データ群がバックアップされたディスク型記録媒体１０の種類を知ることができる。
【００５１】
そして、ステップＳ２０５で、ユーザはディスク型記録媒体１０の種類を確認して、画像データ群を再度、バックアップし直すか否かを判断する。例えば、ディスク型記録媒体１０としてＤＶＤ−Ｒが主流になっており、ＣＤ−Ｒを利用できるコンピュータ機器が少なくなってきている場合や、画像データ群の管理を容易にするために、複数の画像データ群を１つのディスク型記録媒体１０にバックアップし直したい場合には、画像データ群を選択し、図８の作業メニュー欄１６のディスク作成を選択して再バックアップを指示する。
【００５２】
その際、バックアップするディスク型記録媒体１０の種類をユーザが選択する場合は、図９（ａ）に示すように、作業メニュー欄１６にディスク型記録媒体１０の種類毎にディスク作成ボタンを設けて、その中から所望の種類のディスク型記録媒体１０を選択したり、図８の作業メニュー欄１６のディスク作成を選択したら、図９（ｂ）に示すような、ディスク型記録媒体１０の種類を一覧表示した画面を表示させて、その中から所望の種類のディスク型記録媒体１０を選択してもよいが、ディスク型記録媒体１０の種類の選択を容易にするために、ステップＳ２０６で、制御部２は、選択された画像データ群がバックアップされたディスク型記録媒体１０よりも記録容量の大きいディスク型記録媒体１０の種類を特定する。例えば、図８の画像表示画面１３のタグ表示欄１４の最も上の画像データ群（２００４Ｘ’ｍａｓ）が選択された場合、この画像データ群がバックアップされたディスク型記録媒体１０はＣＤ−Ｒであることから、ＣＤ−Ｒよりも記録容量の大きいＤＶＤ−ＲやＢｌｕ−ｒａｙディスク、ホログラムディスクなどの次世代ディスクを特定する。
【００５３】
なお、ここでは、１つの画像データ群を選択する場合を示したが、複数の画像データ群を１つのディスク型記録媒体１０にバックアップする場合は複数の画像データ群を選択してもよく、その場合は、それらがバックアップされたディスク型記録媒体１０の内、最も記録容量の大きいディスク型記録媒体１０よりも記録容量の大きいディスク型記録媒体１０の種類を特定する。例えば、図８の画像表示画面１３のタグ表示欄１４の上の２つの画像データ群（２００４Ｘ’ｍａｓと２００５スキー）を選択した場合、これらの画像データ群がバックアップされたディスク型記録媒体１０はＣＤ−ＲとＤＶＤ−Ｒであることから、その中で記録容量の大きいＤＶＤ−Ｒよりも記録容量の大きいＢｌｕ−ｒａｙディスクや次世代ディスクを特定する。
【００５４】
次に、ステップＳ２０７で、制御部２の表示制御手段２ｂは、表示部５に、特定したディスク型記録媒体１０の種類を表示する。例えば、上記例でＣＤ−Ｒにバックアップされている画像データ群が選択された場合は、表示部５に図１０（ａ）に示すようなディスク選択画面１８を表示させ、ＤＶＤ−Ｒにバックアップされている画像データ群が選択された場合は、表示部５に図１０（ｂ）に示すようなディスク選択画面１８を表示させる。そして、ユーザはディスク選択画面１８に表示されているディスク型記録媒体１０の中から所望の種類を選択した後、ステップＳ２０８で、選択した種類のディスク型記録媒体１０を書込部４に装填する。このような表示を行うことにより、ユーザは煩雑な操作を行うことなく、画像データ群をより記録容量の大きいディスク型記録媒体１０に確実にバックアップし直すことができる。なお、図３のフローチャートと同様に、装填されたディスク型記録媒体１０に識別情報が記録されているか否かを判断してもよい。
【００５５】
次に、ステップＳ２０９で、制御部２の対応付け情報生成手段２ａは、上記案内溝変調（ＡＴＩＰ）などに基づいて、書込部４に装填されたディスク型記録媒体１０の種類を判別し、選択された画像データ群を特定する情報と、ディスク型記録媒体１０の種類を特定する情報とを対応付け、予め記憶された対応付け情報を更新し、記憶部７に記憶する。
【００５６】
その後、ステップＳ２１０で、必要に応じて、制御部２は選択された画像データ群に基づいて家電機器用データや縮小画像データを作成し、家電機器用データを記録する場合は、ステップＳ２１１で、書込部４は、生成した家電機器用データをディスク型記録媒体１０の論理アドレス領域の内周側に書き込み、必要に応じてセッションをクローズした後、ステップＳ２１２で、画像データ群や縮小画像データ、アプリケーションなどを家電機器用データの外側に書き込む。
【００５７】
以上の処理により、ＨＤＤなどの記憶部７に記憶された画像データ群がどのような種類のディスク型記録媒体１０にバックアップされているかを容易に確認できると共に、より記録容量の大きいディスク型記録媒体１０にバックアップし直すことができ、画像データ群を安全に保管することができる。
【００５８】
上記フローでは、ユーザが選択した画像データ群に対して、適切な種類のディスク型記録媒体１０を選択できるようにしたが、ユーザが選択したディスク型記録媒体１０に対して、適切な画像データ群を選択できるようにすることもできる。その場合の手順について、図５のフローチャート図を参照して説明する。
【００５９】
まず、ステップＳ３０１で、ユーザが、制御装置１の書込部４に所定の種類のディスク型記録媒体１０を装填すると、ステップＳ３０２で、制御部２は、上記案内溝変調（ＡＴＩＰ）などに基づいて、装填されたディスク型記録媒体１０の種類を特定する。
【００６０】
次に、ステップＳ３０３で、制御部２のデータ特定手段２ｃは、装填されたディスク型記録媒体１０の種類と記憶部７に記憶された対応付け情報とを参照して、装填されたディスク型記録媒体１０よりも記録容量の小さいディスク型記録媒体１０にバックアップされている画像データ群と必要に応じてバックアップされてない画像データ群とを特定する。例えば、書込部４にＢｌｕ−ｒａｙディスクを装填した場合は、図８の例では、３つの画像データ群（２００４Ｘ’ｍａｓと２００５スキーと２００７運動会）を特定し、書込部４にＤＶＤ−Ｒを装填した場合は、２つの画像データ群（２００４Ｘ’ｍａｓと２００７運動会）を特定する。このような制御を行うことにより、ユーザは煩雑な操作を行うことなく、装填したディスク型記録媒体１０に適した画像データ群を特定することができる。
【００６１】
次に、ステップＳ３０４で、制御部２の表示制御手段２ｂは、表示部５に図１１に示すようなバックアップ指示画面１９を表示させる。このバックアップ指示画面１９には、特定した画像データ群が選択可能に表示され、例えば、書込部４にＢｌｕ−ｒａｙディスクを装填した場合は、図１１（ａ）に示すように、３つの画像データ群（２００４Ｘ’ｍａｓと２００５スキーと２００７運動会）が選択可能に表示され、書込部４にＤＶＤ−Ｒを装填した場合は、図１１（ｂ）に示すように、２つの画像データ群（２００４Ｘ’ｍａｓと２００７運動会）が選択可能に表示される。そして、ステップＳ３０５で、ユーザは再度、バックアップを行うか否かを判断し、バックアップを行う場合は、画像データ群を選択してバックアップを指示する。
【００６２】
次に、ステップＳ３０６で、制御部２の対応付け情報生成手段２ａは、選択された画像データ群を特定する情報と、ディスク型記録媒体１０の種類を特定する情報とを対応付け、予め記憶された対応付け情報を更新し、記憶部７に記憶する。
【００６３】
その後、ステップＳ３０７で、必要に応じて、制御部２は選択された画像データ群に基づいて家電機器用データや縮小画像データを作成し、家電機器用データを記録する場合は、ステップＳ３０８で、書込部４は、生成した家電機器用データをディスク型記録媒体１０の論理アドレス領域の内周側に書き込み、必要に応じてセッションをクローズした後、ステップＳ３０９で、画像データ群や縮小画像データ、アプリケーションなどを家電機器用データの外側に書き込む。
【００６４】
以上の処理により、書込部４に所望の種類のディスク型記録媒体１０を装填するだけで、そのディスク型記録媒体１０より記録容量の小さいディスク型記録媒体１０にバックアップされている画像データ群やバックアップされていない画像データ群をバックアップし直すことができ、画像データ群を安全に保管することができる。
【００６５】
このように、本実施例では、対応付け情報生成手段２ａは、画像データ群と該画像データ群がバックアップされるディスク型記録媒体１０の種類とを対応付ける対応付け情報を生成し、表示制御手段２ｂは、記憶部７に記憶されている画像データ群を表示部５に表示させる際に、画像データ群に関連付けてディスク型記録媒体１０の種類を表示したり、画像データ群のバックアップを指示する際に、より記録容量の大きいディスク型記録媒体１０の種類を表示し、データ特定手段２ｃは、書込部４にディスク型記録媒体１０が装填された場合に、予め記憶された画像データ群の中からより記録容量の小さいディスク型記録媒体１０にバックアップされている画像データ群と必要に応じてバックアップされていない画像データ群とを特定するため、簡単な操作で画像データを確実に保管することができる。
【００６６】
なお、上記実施例では、画像データ群をバックアップする場合（すなわち、コピーする場合）を説明したが、記憶部７に記憶されている画像データ群をディスク型記録媒体１０に移動して記憶部７から画像データ群を消去する構成としてもよいし、元の画像データは移動し縮小画像データはコピーして、記憶部７に縮小画像データのみを残す構成としてもよい。また、上記実施例では、デジタルカメラ８やカメラ付き携帯電話機８ａ等の撮影機器で撮影して得た画像データ群に関して説明したが、本発明は上記実施例に限定されるものではなく、任意の画像データ群に対しても同様に適用することができ、更には、長期保管が求められる任意の種類のデータに対しても同様に適用することができる。
【産業上の利用可能性】
【００６７】
本発明は、画像データをディスク型記録媒体１０に記録する機能を備えた制御装置、及び該制御装置で動作する制御プログラム、並びに該制御装置における制御方法に利用可能である。
【図面の簡単な説明】
【００６８】
【図１】本発明の一実施例に係る制御装置の構成を示す外観図である。
【図２】本発明の一実施例に係る制御装置の手段を示すブロック図である。
【図３】本発明の一実施例に係る制御装置を用いた画像データ群の記録手順を示すフローチャート図である。
【図４】本発明の一実施例に係る制御装置を用いた画像データ群の再バックアップ手順を示すフローチャート図である。
【図５】本発明の一実施例に係る制御装置を用いた画像データ群の再バックアップ手順を示すフローチャート図である。
【図６】本発明の一実施例に係る制御装置の記憶部におけるデータの記録構造を示す図である。
【図７】本発明の一実施例に係るディスク型記録媒体におけるデータの記録構造を示す図である。
【図８】本発明の一実施例に係る制御装置の表示部に表示される画面構成例（画像表示画面）を示す図である。
【図９】本発明の一実施例に係る制御装置の表示部に表示される画面構成例（ディスク選択画面）を示す図である。
【図１０】本発明の一実施例に係る制御装置の表示部に表示される画面の他の構成例（ディスク選択画面）を示す図である。
【図１１】本発明の一実施例に係る制御装置の表示部に表示される画面構成例（バックアップ指示画面）を示す図である。
【図１２】本発明の一実施例に係るディスク型記録媒体におけるデータの記録領域を示す図である。
【図１３】ディスク型記録媒体（ＣＤ−Ｒ）の構造を模式的に示す図である。
【符号の説明】
【００６９】
１  制御装置
２  制御部
２ａ  対応付け情報生成手段
２ｂ  表示制御手段
２ｃ  データ特定手段
３  データ入力部
３ａ  メディア装填部
３ｂ  機器接続部
４  書込部
５  表示部
６  操作部
７  記憶部
８  デジタルカメラ
８ａ  カメラ付き携帯電話機
９  メディア
１０  ディスク型記録媒体
１１  通信ネットワーク
１２  サーバ
１３  画像表示画面
１４  タグ表示欄
１５  一覧表示欄
１６  作業メニュー欄
１７  バックアップディスク情報
１８  ディスク選択画面
１９  バックアップ指示
２０  ポリカーボネート基板
２１  有機色素層
２２  反射層
２３  保護層
【図１】
2008204154.tif 000003
【図２】
2008204154.tif 000004
【図３】
2008204154.tif 000005
【図４】
2008204154.tif 000006
【図５】
2008204154.tif 000007
【図６】
2008204154.tif 000008
【図７】
2008204154.tif 000009
【図８】
2008204154.tif 000010
【図９】
2008204154.tif 000011
【図１０】
2008204154.tif 000012
【図１１】
2008204154.tif 000013
【図１２】
2008204154.tif 000014
【図１３】
2008204154.tif 000015